(57)【特許請求の範囲】
【請求項１】
表部と裏部とが一体的に形成され、前記表部と前記裏部との境界部分を折り曲げ、前記表部と前記裏部と合わせることにより、内部に梱包空間が形成されるブリスターケースにおいて、
前記表部に、第１貫通穴を有する第１平面部を形成し、
前記裏部に、前記表部と前記裏部とを合わせた際に、前記第１平面部と当接し、前記第１貫通穴と対向する第２貫通穴を有する第２平面部を形成し、
前記第１貫通穴及び前記第２貫通穴内に挿入可能な筒部、該筒部の一方の端部側の筒面に設けられ、前記第１平面部の第１貫通穴の周縁部に当接可能な第１つば部、前記筒部の他方の端部側の筒面に設けられ、前記第２平面部の第２貫通穴の周縁部に当接可能な第２つば部を有する弾性ホルダーで前記表部と前記裏部とを固定することを特徴とするブリスターケース。
【請求項２】
前記弾性ホルダーの第１つば部、第２つば部のうち、少なくとも一方のつば部は、弾性変形して前記第１貫通穴、第２貫通穴を挿通可能な形状であることを特徴とする請求項１記載のブリスターケース。
【請求項３】
前記弾性ホルダーの筒部の内部空間が商品吊り下げ用穴となることを特徴とする請求項１又は２記載のブリスターケース。
【請求項４】
前記表部、前記裏部のいずれか一方に凸部、他方に前記凸部に係脱可能な凹部を形成したことを特徴とする請求項１乃至３のいずれかに記載のブリスターケース。
【請求項５】
前記弾性ホルダーの材質は、加硫ゴム、熱可塑性エラストマー樹脂のうちのいずれかであることを特徴とする請求項１乃至４のいずれかに記載のブリスターケース。
【発明の詳細な説明】
【０００１】
【発明の属する技術分野】
本発明は、表部と裏部とが一体的に形成され、前記表部と前記裏部との境界部分を折り曲げ、前記表部と前記裏部と合わせることにより、内部に梱包空間が形成されるブリスターケースに関する。
【０００２】
【従来の技術】
商品に傷がつくことを防止し、梱包された商品が外部からよく見えるように展示即売する目的で種々のブリスターケースが提案されている。
【０００３】
その一例として、図４に示すように、表部１と裏部３とが一体的に形成され、表部１と裏部３との境界部分を折り曲げ、表部１と裏部３と合わせることにより、内部に梱包空間が形成されるブリスターケース５がある。
【０００４】
図４のＡ部の拡大図である図５に示すように、ブリスターケース５の表部１には複数の凹部７が、裏部３には表部１の凹部７に係脱可能な凸部９が形成され、表部１と裏部３とを合わせ、表部１の凹部７と裏部３の凸部９とを係合させて、表部１の裏部３とを固定している。
【０００５】
このようなブリスターケース５は樹脂を金型成形して製造されるが、凹部７や凸部９はアンダーカットとなるため、凹部７の深さ，凸部９の高さを大きくとれず、凹部７と凸部９との係合だけでは、表部１と裏部３とを確実に固定することは困難である。
【０００６】
よって、このようなブリスターケース５を落下させた場合、衝撃で凹部７と凸部９との係合が解除され、表部１と裏部３とが開き、梱包空間に収納された商品が飛び出してしまう場合がある。
【０００７】
このため、表部１と裏部３との固定のために、凹部７と凸９との係合に加え、ステープラーや粘着テープを兼用することがある。
しかし、ステープラーや粘着テープを用いると、商品を取り出す際に、ブリスターケース５が破損したり、汚れたりする問題点がある。また、ブリスターケース５が破損すると、再梱包した場合、商品価値が落ちる問題点がある。
【０００８】
そこで、図６に示すようなホルダーを用いることが提案されている。
図６（ａ）に示すように、ブリスターケース１５は、表部１１と裏部１３とが一体的に形成され、表部１１と裏部１３との境界部分を折り曲げ、表部１１と裏部１３と合わせることにより、内部に梱包空間が形成されている。
【０００９】
表部１１には、第１貫通穴２１が形成された第１平面部２３が、裏部１３には表部１１と裏部１３とを合わせた際に、第１平面部２３と当接し、第１貫通穴２１と対向する第２貫通穴２５が形成された第２平面部２７が形成されている。尚、第１貫通穴２１と第２貫通穴２５とは、商品吊り下げ用の穴として設けられている。
【００１０】
そして、ブリスターケース１５の外部から第１平面部２３と第２平面部２７とをはさむように略逆Ｕ字形に形成されたホルダー３１を用いて表部１１と裏部１３との固定を行なう。
【００１１】
図６（ａ）に示すホルダー３１の拡大図である図６（ｂ）に示すように、ホルダー３１は、表部１１の第１平面部２３に当接可能な第１挟持部３３と、裏部１３の第２平面部２７に当接可能な第２挟持部３５と、第１挟持部３３と第２挟持部３５とを接続する接続部とからなっている。
【００１２】
第１挟持部３３及び第２挟持部３５には、ブリスターケース１５の第１貫通穴２１及び第２貫通穴２５に対向する第１貫通穴３７及び第２貫通穴３９が形成され、ブリスターケース１５へ装着した際に、商品吊り下げ用の穴として機能する。第１挟持部３３の第２挟持部３５との対向面には凸部４１が形成され、第２挟持部３５の第１挟持部３３との対向面には、第１挟持部３３に形成された凸部４１が係脱可能な凹部４３が形成されている。尚、本従来例では、凸部４１と凹部４３とは、第１貫通穴３７、第２貫通穴３９の両側に形成されている。
【００１３】
また、図６（ａ）に示すように、ブリスターケース１５の第１平面部２３、第２平面部２７には、ホルダー３１の凸部４１及び凹部４３が挿通可能な穴４５及び穴４７が形成されている。
【００１４】
そして、ブリスターケース１５の表部１１と裏部１３とを合わせ、ブリスターケース１５の外側から表部１１の第１平面部２３と裏部１３の第２平面部２７とを挟むように、ホルダー３１をセットし、凸部４１と凹部４３とを係合させることにより、表部１１と裏部１３とを固定する。
【００１５】
このようなホルダー３１を用いることで、表部１１と裏部１３との固定は強固となり、また、ホルダー３１を取り外しても、ブリスターケース１５が破損したり、汚れたりすることもなくなるので、商品価値を落とすことなく再梱包が可能となる。
【００１６】
【発明が解決しようとする課題】
しかし、上記構成のホルダー３１には、以下のような問題点がある。
（１）ホルダー３１は、ブリスターケース１５の外側から挟む形状であるので、ブリスターケース１５の第１平面部２３、第２平面部２７の縁部形状をホルダー３１に合わせる必要があり、ブリスターケース１５を製造する際に用いる金型の形状が複雑となり、コストがかかる。
【００１７】
また、ブリスターケース１５のデザインにも制限がある。
（２）ホルダー３１は、ブリスターケース１５の外側から挟むような形状で、大きくなるので、コストがかかり、更に、ブリスターケースのデザインに制限がある。
【００１８】
本発明は、上記問題点に鑑みてなされたもので、その第１の課題は、低コストのブリスターケースを提供することにある。
第２の課題は、デザインの制限が少ないブリスターケースを提供することにある。
【００１９】
【課題を解決するための手段】
上記課題を解決する請求項１記載の発明は、表部と裏部とが一体的に形成され、前記表部と前記裏部との境界部分を折り曲げ、前記表部と前記裏部と合わせることにより、内部に梱包空間が形成されるブリスターケースにおいて、前記表部に、第１貫通穴を有する第１平面部を形成し、前記裏部に、前記表部と前記裏部とを合わせた際に、前記第１平面部と当接し、前記第１貫通穴と対向する第２貫通穴を有する第２平面部を形成し、前記第１貫通穴及び前記第２貫通穴内に挿入可能な筒部、該筒部の一方の端部側の筒面に設けられ、前記第１平面部の第１貫通穴の周縁部に当接可能な第１つば部、前記筒部の他方の端部側の筒面に設けられ、前記第２平面部の第２貫通穴の周縁部に当接可能な第２つば部を有する弾性ホルダーで前記表部と前記裏部とを固定することを特徴とするブリスターケースである。
【００２０】
弾性ホルダーの第１つば部と第２つば部とで、ブリスターケースの第１平面部、第２平面部を挟むことにより、ブリスターケースの表部と裏部との固定を行なう。
【００２１】
ブリスターケースの前記表部には、第１貫通穴を有する第１平面部を形成し、前記裏部には、前記表部と前記裏部とを合わせた際に、前記第１平面部と当接し、前記第１貫通穴と対向する第２貫通穴を有する第２平面部を形成するだけでよいので、ブリスターケースを製造する金型は複雑にならない。また、ブリスターケースのデザインの制限も少ない。
【００２２】
弾性ホルダーは、前記第１貫通穴及び前記第２貫通穴内に挿入可能な筒部、該筒部の一方の端部側の筒面に設けられ、前記第１平面部の第１貫通穴の周縁部に当接可能な第１つば部、前記筒部の他方の端部側の筒面に設けられ、前記第２平面部の第２貫通穴の周縁部に当接可能な第２つば部を有するだけなので、小型にできコストダウンが図れる。
【００２３】
請求項２記載の発明は、前記弾性ホルダーの第１つば部、第２つば部のうち、少なくとも一方のつば部は、弾性変形して前記第１貫通穴、第２貫通穴を挿通可能な形状であることを特徴とする請求項１記載のブリスターケースである。
【００２４】
ブリスターケースの第１貫通穴、又は、第２貫通穴に、弾性変形して前記第１貫通穴、第２貫通穴を挿通可能な形状であるつば部を挿入するだけで、容易にブリスターケースの表部と裏部との固定をすることができる。
【００２５】
また、弾性変形して前記第１貫通穴、第２貫通穴を挿通可能な形状であるつば部を押すことで、弾性ホルダーを容易に取り外すことができる。
請求項３記載の発明は、前記弾性ホルダーの筒部の内部空間が商品吊り下げ用穴となることを特徴とする請求項１又は２記載のブリスターケースである。
【００２６】
前記弾性ホルダーの筒部の内部空間が商品吊り下げ用穴となることにより、ブリスターケースに第１貫通穴、第２貫通穴以外の商品吊り下げ用の穴を形成しなくてよいので、ブリスターケースのコストダウンが図れる。
【００２７】
請求項４記載の発明は、前記表部、前記裏部のいずれか一方に凸部、他方に前記凸部に係脱可能な凹部を形成したことを特徴とする請求項１乃至３のいずれかに記載のブリスターケースである。
【００２８】
前記表部、前記裏部のいずれか一方に凸部、他方に前記凸部に係脱可能な凹部を形成したことにより、ブリスターケースの表部と裏部との仮止めを行なうことができ、梱包の際の弾性ホルダーの取付け、開包の際の弾性ホルダーの取り外しが容易となる。
【００２９】
請求項５記載の発明は、前記弾性ホルダーの材質は、加硫ゴム、熱可塑性エラストマー樹脂のうちのいずれかであることを特徴とする請求項１乃至４のいずれかに記載のブリスターケースである。
【００３０】
前記弾性ホルダーの材質は、加硫ゴム、熱可塑性エラストマー樹脂のうちのいずれかであることにより、弾性ホルダーは十分な耐久性を有する。
【００３１】
【発明の実施の形態】
次に図面を用いて本発明の実施の形態例を説明する。図１は本発明の実施の形態例のブリスターケースを説明する図で、（ａ）図はブリスターケースの分解斜視図、（ｂ）図は（ａ）図のＢ部分の拡大図、図２は図１のブリスターケースを組み立てた状態を示す斜視図、図３は図１のホルダーを説明する図で、（ａ）図は正面図、（ｂ）図は背面図、（ｃ）図は（ａ）図の切断線Ｃ−Ｃでの断面図である。
【００３２】
図１（ａ）に示すように、ブリスターケース１０５は、透明なポリエステル系フィルムを金型成形して製造され、表部１０１と裏部１０３とが一体的に形成されている。そして、表部１０１と裏部１０３との境界部分を折り曲げ、表部１０１と裏部１０３と合わせることにより、内部に梱包空間が形成されるようになっている。
【００３３】
本実施の形態例では、図１（ｂ）に示すように、ブリスターケース１０５の表部１０１には複数の凹部１０７が、裏部１０３には表部１の凹部１０７に係脱可能な凸部１０９が形成され、表部１０１と裏部１０３とを合わせると、表部１０１の凹部１０７と裏部１０３の凸部１０９とが係合し、仮止めとなるようになっている。
【００３４】
更に、表部１０１には、第１貫通穴１２１が形成された第１平面部１２３が、裏部１０３には表部１０１と裏部１０３とを合わせた際に、第１平面部１２３と当接し、第１貫通穴１２１と対向する第２貫通穴１２５が形成された第２平面部１２７が形成されている。尚、本実施の形態例の第１貫通穴１２１と第２貫通穴１２５とは、商品吊り下げ用の穴として用いることができる位置に形成されている。
【００３５】
そして、ブリスターケース１０５は、弾性樹脂でなるホルダー１３１を用いて表部１０１と裏部１０３とが固定される。本実施の形態例では、ホルダー１３１の材質を熱可塑性エラストマー樹脂としたが、他に、加硫ゴムであってもよい。
【００３６】
ホルダー１３１は、図３に示すように、第１貫通穴１２１及び第２貫通穴１２５内に挿入可能な筒部１３３を有している。この筒部１３３の一方の端部側の筒面には、第１平面部１２３の第１貫通穴１２１の周縁部に当接可能な第１つば部１３５が形成されている。筒部１３３の他方の端部側の筒面には、第２平面部１２７の第２貫通穴１２５の周縁部に当接可能な第２つば部１３７が形成されている。
【００３７】
第２つば部１３７は、第１つば部１３５より小さな形状に設定され、弾性変形して第１貫通穴１２１、第２貫通穴１２５を挿通可能となっている。
更に、第２つば部１３７は、第１貫通穴１２１、第２貫通穴１２５に挿入された際に、スムーズに挿入可能なように、周縁にはアール（Ｒ）部１３７ａが形成されている。
【００３８】
次に、上記構成のブリスターバックの組み立てを説明する。
商品を梱包する場合には、ブリスターケース１０５の裏部１０３上に商品を置き、表部１０１と裏部１０３とを合わせ、表部１０１の凹部１０７と裏部１０３の凸部１０９とを係合させ、仮止め状態とする。
【００３９】
そして、第１平面部１２３の第１貫通穴１２１に、ホルダー１３１の第２つば部１３７を挿入すると、図３（ｃ）に示すように、ホルダー１３１の第１つば部１３５と第２つば部１３７とが、ブリスターケース１０５の第１平面部１２３、第２平面部１２７を挟み、ブリスターケース１０５の表部１０１と裏部１０３との固定がなされ、図２に示す状態となる。
【００４０】
また、商品を開包する場合には、第２の平面部側からホルダー１３１の第２のつば部１３７を押すだけで、ホルダー１３１は取り外される。
上記構成によれば、以下のような効果を得ることができる。
（１）ブリスターケース１０５の表部１０１には、第１貫通穴１２１を有する第１平面部１２３を形成し、裏部１０３には、表部１０１と裏部１０３とを合わせた際に、第１平面部１２３と当接し、第１貫通穴１２１と対向する第２貫通穴１２５を有する第２平面部１２７を形成するだけでよいので、ブリスターケース１０５を製造する金型は複雑にならない。
【００４１】
また、ブリスターケース１０５のデザインの制限も少ない。
（２）ホルダー１３１は、筒部１３３、第１つば部１３５、第２つば部１３７を有するだけなので、小型にできコストダウンが図れる。
（３）ブリスターケース１０５の第１貫通穴１２１に、弾性変形して第１貫通穴１２１、第２貫通穴１２５を挿通可能な形状である第２つば部１３７を挿入するだけで、容易にブリスターケース１０５の表部１０１と裏部１０３との固定をすることができる。
【００４２】
また、第２つば部１３７を押すことで、ホルダー１３１を容易に取り外すことができる。
（４）第１貫通穴１２１と第２貫通穴１２５とは、商品吊り下げ用の穴として用いることができる位置に形成されていることにより、ホルダー１３１の筒部１３３の内部空間が商品吊り下げ用穴として用いることができる。
【００４３】
また、ブリスターケース１０５に第１貫通穴１２１、第２貫通穴１２５以外の商品吊り下げ用の穴を形成しなくてよいので、ブリスターケース１０５のコストダウンが図れる。
（５）表部１０１に凹部１０７、裏部１０３に凹部１０７に係脱可能な凸部１０９を形成したことにより、ブリスターケース１０５の表部１０１と裏部１０３との仮止めを行なうことができ、梱包の際の弾性ホルダー１３１の取付け、開包の際の弾性ホルダー１３１の取り外しが容易となる。
（６）ホルダー１３１の材質を熱可塑性エラストマー樹脂としたことにより、ホルダー１３１をブリスターケース１０５に取り付け、取り外しを繰り返し行なっても十分な耐久性を有する。
【００４４】
尚、本発明は、上記実施の形態例に限定するものではない。
上記実施の形態例では、ブリスターケース１０５の裏部１０３の第２平面部１２７に当接可能な第２つば部１３７を弾性変形して第１貫通穴１２１、第２貫通穴１２５を挿通可能な形状としたが、逆に、ブリスターケース１０５の表部１０１の第１平面部１２３に当接可能な第１つば部１３５を弾性変形して第１貫通穴１２１、第２貫通穴１２５を挿通可能な形状としてもよい。また、第１つば部１３５、第２つば部１３７の両方をブリスターケース１０５の裏部１０３の第２平面部１２７に当接可能な形状としてもよい。
【００４５】
上記実施の形態例では、表部１０１と裏部１０３との仮止め用に、表部１０１に凹部１０７、裏部１０３に凸部１０９を形成したが、逆に、表部１０１に凸部、裏部１０３に前記凸部に係脱可能な凹部を形成してもよい。
【００４６】
上記実施の形態例では、第１貫通穴１２１と第２貫通穴１２５とを商品吊り下げ用の穴として用いることができる位置に形成し、弾性ホルダー１３１の筒部１３３の内部空間を商品吊り下げ用穴としたが、第１貫通穴１２１と第２貫通穴１２５を設ける位置はべつの箇所でもかまわない。その場合、ブリスターケース１０５の表部１０１と裏部１０３とに、両者を合わせたときに商品吊り下げ用の穴となる他の穴を形成すればよい。
【００４７】
【発明の効果】
以上述べたように請求項１記載の発明によれば、ブリスターケースの前記表部には、第１貫通穴を有する第１平面部を形成し、前記裏部には、前記表部と前記裏部とを合わせた際に、前記第１平面部と当接し、前記第１貫通穴と対向する第２貫通穴を有する第２平面部を形成するだけでよいので、ブリスターケースを製造する金型は複雑にならない。また、ブリスターケースのデザインの制限も少ない。
【００４８】
弾性ホルダーは、前記第１貫通穴及び前記第２貫通穴内に挿入可能な筒部、該筒部の一方の端部側の筒面に設けられ、前記第１平面部の第１貫通穴の周縁部に当接可能な第１つば部、前記筒部の他方の端部側の筒面に設けられ、前記第２平面部の第２貫通穴の周縁部に当接可能な第２つば部を有するだけなので、小型にできコストダウンが図れる。
【００４９】
請求項２記載の発明によれば、ブリスターケースの第１貫通穴、又は、第２貫通穴に、弾性変形して前記第１貫通穴、第２貫通穴を挿通可能な形状であるつば部を挿入するだけで、容易にブリスターケースの表部と裏部との固定をすることができる。
【００５０】
また、弾性変形して前記第１貫通穴、第２貫通穴を挿通可能な形状であるつば部を押すことで、弾性ホルダーを容易に取り外すことができる。
請求項３記載の発明によれば、前記弾性ホルダーの筒部の内部空間が商品吊り下げ用穴となることにより、ブリスターケースに第１貫通穴、第２貫通穴以外の商品吊り下げ用の穴を形成しなくてよいので、ブリスターケースのコストダウンが図れる。
【００５１】
請求項４記載の発明によれば、前記表部、前記裏部のいずれか一方に凸部、他方に前記凸部に係脱可能な凹部を形成したことにより、ブリスターケースの表部と裏部との仮止めを行なうことができ、梱包の際の弾性ホルダーの取付け、開包の際の弾性ホルダーの取り外しが容易となる。
【００５２】
請求項５記載の発明によれば、前記弾性ホルダーの材質は、加硫ゴム、熱可塑性エラストマー樹脂のうちのいずれかであることにより、弾性ホルダーは十分な耐久性を有する。
【図面の簡単な説明】
【図１】本発明の実施の形態例のブリスターケースを説明する図で、（ａ）図はブリスターケースの分解斜視図、（ｂ）図は（ａ）図のＢ部分の拡大図である。
【図２】図１のブリスターケースを組み立てた状態を示す斜視図である。
【図３】図１のホルダーを説明する図で、（ａ）図は正面図、（ｂ）図は背面図、（ｃ）図は（ａ）図の切断線Ｃ−Ｃでの断面図である。
【図４】従来のブリスターケースの第１の例を説明する図である。
【図５】図４のＡ部の拡大図である。
【図６】従来のブリスターケースの第２の例を説明する図で、（ａ）図は分解斜視図、（ｂ）図は（ａ）図のホルダーの拡大図である。
【符号の説明】
１０１  表部
１０３  裏部
１０５  ブリスターケース
１２１  第１貫通穴
１２３  第１平面部
１２５  第２貫通穴
１２７  第２平面部
１３１  ホルダー
１３３  筒部
１３５  第１つば部
１３７  第２つば部
【図１】
0004116306.tif 000002
【図２】
0004116306.tif 000003
【図３】
0004116306.tif 000004
【図４】
0004116306.tif 000005
【図５】
0004116306.tif 000006
【図６】
0004116306.tif 000007